(57)【特許請求の範囲】
【請求項１】
商用電源の交流電圧を整流する整流回路と、該整流回路の両極間に挿入された高調波チョーク及びスイッチング素子、該スイッチング素子に並列に接続された平滑コンデンサを有する平滑回路と、該平滑回路の両極間に設けられた一対のスイッチング素子を有するインバータと、前記一対のスイッチング素子のうち一方のスイッチング素子に並列に接続された放電灯、該放電灯と前記一方のスイッチング素子との間の接続線上に挿入されたバラストチョーク及びカップリングコンデンサ、放電灯に並列に接続された抵抗、該抵抗に並列に接続された始動用のコンデンサを有する放電灯回路と、前記一対のスイッチング素子のうち他方のスイッチング素子を介して入力される高周波電流から高周波電圧を生成し、かつ、該高周波電圧に基づいて直流電圧を検出する電圧検出回路とが設けられた放電灯点灯装置において、
商用電源が投入されたときに前記平滑回路から出力される直流電流が前記放電灯回路の抵抗を介して充電されるコンデンサをそれぞれ有するインバータ制御電源回路及びアクティブフィルタ制御電源回路と、
該インバータ制御電源回路の電圧が予め設定された動作電圧に達したときに高周波信号を発振し、前記インバータの一対のスイッチング素子を交互に繰り返しオン・オフして前記放電灯回路に電流を供給すると共に、一方のスイッチング素子のオン時に前記インバータ制御電源回路及びアクティブフィルタ制御電源回路に電流が流れるようにするインバータ制御回路と、
該アクティブフィルタ制御電源回路の電圧が予め設定された動作電圧に達したときに高周波信号を発振し、前記平滑回路のスイッチング素子を繰り返しオン・オフして平滑コンデンサに充電される整流電圧を昇圧させるアクティブフィルタ制御回路と、
前記放電灯回路のバラストチョーク及びカップリングコンデンサを介して前記一方のスイッチング素子と並列に接続され、放電灯の点灯中に片側の電極が外れたとき高周波の進相電流を発生させるための進相コンデンサとを備え、
前記インバータ制御回路は、予め放電灯の異常の有無を識別するための閾値が設定され、前記電圧検出回路により検出された直流電圧が閾値を越えたとき前記一対のスイッチング素子をオフ状態にして、前記インバータ制御電源回路及びアクティブフィルタ制御電源回路への電流を遮断し、前記アクティブフィルタ制御回路による前記平滑回路のスイッチング素子のオン・オフを停止させることを特徴とする放電灯点灯装置。
【請求項２】
前記放電灯回路は、前記進相コンデンサに並列に接続された直列接続の複数の放電灯と、各放電灯にそれぞれ並列に接続された複数の抵抗と、前記一方のスイッチング素子と進相コンデンサとの間の接続線上に挿入されたバラストチョーク及びカップリングコンデンサと、前記複数の抵抗に並列に接続された始動用のコンデンサと、バラストチョークの二次側に設けられた補助巻線と、一端がその補助巻線の一端側に接続され、他端が互いに接続された各放電灯の電極を介して前記補助巻線の他端側に接続された直流阻止用のコンデンサとを有することを特徴とする請求項１記載の放電灯点灯装置。
【請求項３】
前記電圧検出回路は、前記一対のスイッチング素子と前記平滑回路の負極側との間に挿入された検出抵抗と、前記一対のスイッチング素子に直列に接続された抵抗及びダイオードと、正極がそのダイオードのカソードに接続されていると共に、前記インバータ制御回路に接続され、負極が前記平滑回路の負極側に接続されたコンデンサとで構成されていることを特徴とする請求項１又は２の何れかに記載の放電灯点灯装置。
【請求項４】
前記平滑回路の高調波チョークの二次側に設けられ、商用電源投入時に平滑コンデンサから出力される起動電流が前記放電灯回路の抵抗を介してインバータ制御電源回路に入力され前記平滑回路が発振したとき、電流を生成してそのインバータ制御電源回路に供給する補助巻線を有する第１電流供給回路を備えたことを特徴とする請求項１又は２の何れかに記載の放電灯点灯装置。
【請求項５】
前記整流回路の正極側と前記アクティブフィルタ制御電源回路との間に挿入された抵抗と、インバータ制御電源回路のコンデンサに並列に接続され、前記放電灯に並列接続の抵抗を介して電流が流れたときオフするトランジスタとを有し、該トランジスタがオフのときその抵抗を介して流れる電流を起動電流としてアクティブフィルタ及びインバータ制御電源回路の各コンデンサに供給する第２電流供給回路を備えたことを特徴とする請求項１又は２の何れかに記載の放電灯点灯装置。
【発明の詳細な説明】
【０００１】
【発明の属する技術分野】
本発明は、高周波電圧を放電灯に印加して点灯する放電灯点灯装置に関するものである。
【０００２】
【従来の技術】
図８は従来の放電灯点灯装置の回路図であり、図において、DBは商用電源ACの交流電圧を脈流電圧に整流する整流回路、DCは平滑回路で、整流回路DBの正極側に挿入された高調波チョークＴ１及びダイオードＤ１と、このダイオードＤ１と整流回路DBの負極側との間に設けられた平滑コンデンサＣ11と、高調波チョークＴ１と整流回路DBの負極側との間に設けられたMOS-FET Ｑ１（以下、「スイッチング素子Ｑ１」という）と、整流回路DBの正極側と後述のインバータ回路IV側のダイオードＤ13との間に挿入された電流制限用の抵抗Ｒ52と、正極がそのダイオードＤ13のカソード側に接続され、負極が整流回路DBの負極側に接続された制御電源用のコンデンサＣ30と、端子１がそのコンデンサＣ30に接続され、出力端がスイッチング素子Ｑ１のゲートに接続されたアクティブフィルタ制御回路IC１（以下、「ＡＦ制御回路IC１」という）とで構成されている。
【０００３】
このＡＦ制御回路IC１は、コンデンサＣ30に大きな電流が流れ込んだときに数十ＫＨZ の高周波信号を発振し、スイッチング素子Ｑ１をオン・オフする。スイッチング素子Ｑ１のオン期間に高調波チョークＴ１に電流を流し込み、オフ期間に高調波チョークＴ１に蓄えられたエネルギーをダイオードＤ１を介して平滑コンデンサＣ11に充電し、脈流電圧よりも高い電圧に昇圧する。
【０００４】
IVはインバータ回路で、平滑コンデンサＣ11の両極間に設けられた直列接続のスイッチング素子Ｑ２，Ｑ３と、抵抗Ｒ52とコンデンサＣ30との間に挿入された前記ダイオードＤ13と、端子１がそのダイオードＤ13のカソード側に接続され、端子２がスイッチング素子Ｑ２のゲートに接続され、端子３がスイッチング素子Ｑ２，Ｑ３の接続点に接続され、端子４がスイッチング素子Ｑ３のゲートに接続され、端子５がランプ接続検出回路CNに接続されたインバータ制御回路IC２（以下、「ＩＶ制御回路IC２」という）と、カソードが抵抗Ｒ52とダイオードＤ13との接続点に接続された定電圧ダイオードZDと、定電圧ダイオードZDのカソードとスイッチング素子Ｑ２，Ｑ３の接続点との間に挿入されたスナバ抵抗Ｒ21及びスナバコンデンサＣ17と、スイッチング素子Ｑ２，Ｑ３の接続点と蛍光ランプLA１の電極Ｆ11との間に挿入されたバラストチョークＴ２及びカップリングコンデンサＣ22と、蛍光ランプLA１に並列に接続された始動用のコンデンサＣ23とで構成されている。前記ＩＶ制御回路IC２は、商用電源ACの投入によりコンデンサＣ30の充電電圧が動作電圧に達すると数十ＫＨZ の高周波信号を発振し、スイッチング素子Ｑ２，Ｑ３を交互にオン・オフして、電流をスナバ抵抗Ｒ21→スナバコンデンサＣ17→ダイオードＤ13を経てコンデンサＣ30に充電すると共に、蛍光ランプLA１側に供給する。
【０００５】
前記ランプ接続検出回路CNは、ダイオードＤ13のカソード側と蛍光ランプLA１の電極Ｆ12側との間に挿入された抵抗Ｒ60，Ｒ61（Ｒ60》Ｒ61）と、正極がその抵抗Ｒ60，Ｒ61の接続点を介してIV制御回路IC２の端子５に接続され、負極がスイッチング素子Ｑ３のソース側に接続された接続コンデンサＣ31とで構成され、蛍光ランプLA１の電極Ｆ12が接続されている場合は、抵抗Ｒ60を介して流れる電流が電極Ｆ12側に流れるので、接続コンデンサＣ31に充電される電圧、即ちＩＶ制御回路IC２の端子５に印加する電圧は低くなり、電極Ｆ12が接続されていない場合は、その電流が接続コンデンサＣ31側に流れるので充電電圧が上昇する。この電圧が所定値に達した場合、ＩＶ制御回路IC２は周波数信号を周期的に変化させるようになっている。
【０００６】
次に、従来の放電灯点灯装置の動作を説明する。商用電源ACが投入されると、整流回路DBがその交流電圧を脈流電圧に整流し、高調波チョークＴ１及びダイオードＤ１を介して平滑コンデンサＣ11に充電する。この時、整流回路DBからの電流が抵抗Ｒ52、ダイオードＤ13、抵抗Ｒ60，Ｒ61及び蛍光ランプLA１の電極Ｆ12を介して整流回路DBの負極側に流れると共に、ダイオードＤ13を介した電流が起動電流として制御電源用のコンデンサＣ30に流れ込む。このコンデンサＣ30の充電電圧がＩＶ制御回路IC２の動作電圧に達すると、そのＩＶ制御回路IC２は、数十ＫＨZ の高周波信号を発振してスイッチング素子Ｑ２，Ｑ３を交互にオン・オフする。スイッチング素子Ｑ２がオンされた際、平滑コンデンサＣ11からの大きな直流電流がスイッチング素子Ｑ２、スナバコンデンサＣ17、スナバ抵抗Ｒ21及びダイオードＤ13を介してコンデンサＣ30に流れる。この時、ＡＦ制御回路IC１は、数十ＫＨZ の高周波信号を発振してスイッチング素子Ｑ１をオン・オフし、高調波チョークＴ１の昇圧作用による平滑コンデンサＣ11への充電電圧を昇圧させる。
【０００７】
一方、インバータ回路IVのスイッチング素子Ｑ２がオンしたときは、平滑コンデンサＣ11→スイッチング素子Ｑ２→バラストチョークＴ２→カップリングコンデンサＣ22→電極Ｆ11→始動用のコンデンサＣ23→電極Ｆ12→平滑コンデンサＣ11の閉ループで電流が流れ、スイッチング素子Ｑ３がオンしたときは、カップリングコンデンサＣ22→バラストチョークＴ２→スイッチング素子Ｑ３→電極Ｆ12→始動用のコンデンサＣ23→電極Ｆ11→カップリングコンデンサＣ22の閉ループで電流が流れ、バラストチョークＴ２、電極Ｆ11、コンデンサＣ23、電極Ｆ12の直列回路に高周波電流が流れる。この時、Ｃ22》Ｃ23の関係によりバラストチョークＴ２とコンデンサＣ23のＬＣ直列共振で生じるコンデンサＣ23の高周波電圧が蛍光ランプLA１に印加する。
【０００８】
【発明が解決しようとする課題】
しかしながら、前述した従来の放電灯点灯装置では、蛍光ランプLA１を外す際に電極Ｆ11の方から外した場合、制御電源用のコンデンサＣ30に電流が流れていて、ＡＦ制御回路IC１とＩＶ制御回路IC２は発振動作を継続しているため、その外した電極Ｆ11に触れた場合には感電する危険性があった。また、蛍光ランプLA１の電極Ｆ12を外したときは、ランプ接続検出回路CNの接続コンデンサＣ31の充電電圧が上昇してその旨をＩＶ制御回路IC２に伝達するが、ＩＶ制御回路IC２は高周波信号を周期的に変化させながら発振しているだけで、点灯装置のランプソケットには高周波電圧が発生している。このため、蛍光ランプLA１の片方の電極をそのソケットに挿入した際も、もう一方の電極に触れると感電する危険性があった。
また、蛍光ランプLA１が長時間に亘って外されていた場合には、前述した如くＡＦ制御回路IC１とＩＶ制御回路IC２が発振動作を継続しているので、その消費電力が無駄になっていた。
【０００９】
本発明は、かかる課題を解決するためになされたもので、蛍光ランプが長時間に亘って外されていても消費電力を少なくし、かつ、蛍光ランプ交換時の感電を防止する放電灯点灯装置を提供することを目的とする。
【００１０】
【課題を解決するための手段】
本発明の請求項１に係る放電灯点灯装置は、商用電源の交流電圧を整流する整流回路と、整流回路の両極間に挿入された高調波チョーク及びスイッチング素子、スイッチング素子に並列に接続された平滑コンデンサを有する平滑回路と、平滑回路の両極間に設けられた一対のスイッチング素子を有するインバータと、一対のスイッチング素子のうち一方のスイッチング素子に並列に接続された放電灯、放電灯と一方のスイッチング素子との間の接続線上に挿入されたバラストチョーク及びカップリングコンデンサ、放電灯に並列に接続された抵抗、抵抗に並列に接続された始動用のコンデンサを有する放電灯回路と、一対のスイッチング素子のうち他方のスイッチング素子を介して入力される高周波電流から高周波電圧を生成し、かつ、高周波電圧に基づいて直流電圧を検出する電圧検出回路とが設けられた放電灯点灯装置において、商用電源が投入されたときに平滑回路から出力される直流電流が放電灯回路の抵抗を介して充電されるコンデンサをそれぞれ有するインバータ制御電源回路及びアクティブフィルタ制御電源回路と、インバータ制御電源回路の電圧が予め設定された動作電圧に達したときに高周波信号を発振し、インバータの一対のスイッチング素子を交互に繰り返しオン・オフして放電灯回路に電流を供給すると共に、一方のスイッチング素子のオン時にインバータ制御電源回路及びアクティブフィルタ制御電源回路に電流が流れるようにするインバータ制御回路と、アクティブフィルタ制御電源回路の電圧が予め設定された動作電圧に達したときに高周波信号を発振し、平滑回路のスイッチング素子を繰り返しオン・オフして平滑コンデンサに充電される整流電圧を昇圧させるアクティブフィルタ制御回路と、放電灯回路のバラストチョーク及びカップリングコンデンサを介して一方のスイッチング素子と並列に接続され、放電灯の点灯中に片側の電極が外れたとき高周波の進相電流を発生させるための進相コンデンサとを備え、インバータ制御回路は、予め放電灯の異常の有無を識別するための閾値が設定され、電圧検出回路により検出された直流電圧が閾値を越えたとき一対のスイッチング素子をオフ状態にして、インバータ制御電源回路及びアクティブフィルタ制御電源回路への電流を遮断し、アクティブフィルタ制御回路による平滑回路のスイッチング素子のオン・オフを停止させるようにしたものである。
【００１１】
本発明の請求項２に係る放電灯点灯装置は、前記放電灯回路は、前記進相コンデンサに並列に接続された直列接続の複数の放電灯と、各放電灯にそれぞれ並列に接続された複数の抵抗と、前記一方のスイッチング素子と進相コンデンサとの間の接続線上に挿入されたバラストチョーク及びカップリングコンデンサと、前記複数の抵抗に並列に接続された始動用のコンデンサと、バラストチョークの二次側に設けられた補助巻線と、一端がその補助巻線の一端側に接続され、他端が互いに接続された各放電灯の電極を介して前記補助巻線の他端側に接続された直流阻止用のコンデンサとを有するものである。
【００１２】
本発明の請求項３に係る放電灯点灯装置は、前記電圧検出回路は、前記一対のスイッチング素子と前記平滑回路の負極側との間に挿入された検出抵抗と、前記一対のスイッチング素子に直列に接続された抵抗及びダイオードと、正極がそのダイオードのカソードに接続されていると共に、前記インバータ制御回路に接続され、負極が前記平滑回路の負極側に接続されたコンデンサとで構成されたものである。
【００１３】
本発明の請求項４に係る放電灯点灯装置は、前記平滑回路の高調波チョークの二次側に設けられ、商用電源投入時に平滑コンデンサから出力される起動電流が前記放電灯回路の抵抗を介してインバータ制御電源回路に入力され前記平滑回路が発振したとき、電流を生成してそのインバータ制御電源回路に供給する補助巻線を有する第１電流供給回路を備えたものである。
【００１４】
本発明の請求項５に係る放電灯点灯装置は、前記整流回路の正極側と前記アクティブフィルタ制御電源回路との間に挿入された抵抗と、インバータ制御電源回路のコンデンサに並列に接続され、前記放電灯に並列接続の抵抗を介して電流が流れたときオフするトランジスタとを有し、該トランジスタがオフのときその抵抗を介して流れる電流を起動電流としてアクティブフィルタ及びインバータ制御電源回路の各コンデンサに供給する第２電流供給回路を備えたものである。
【００１５】
【発明の実施の形態】
実施形態１．
図１は本発明の実施形態１を示す放電灯点灯装置の回路図であり、なお、図８で説明した従来例と同一又は相当する部分については同じ符号を用いて説明する。
本実施形態における平滑回路DC１は、直列に接続された第１分離ダイオードＤ２とコンデンサＣ９とからなるアクティブフィルタ制御電源回路を備え、スイッチング素子Ｑ２がオンしたとき、平滑コンデンサＣ11→スナバコンデンサＣ17→スナバ抵抗Ｒ21を経て流れる電流に基づいてＡＦ制御回路IC１の動作電圧を生成する。
【００１６】
このＡＦ制御回路IC１は、前述したようにコンデンサＣ９の充電電圧が動作電圧に達すると数十ＫＨZ の高周波信号を発振してスイッチング素子Ｑ１をオン・オフし、スイッチング素子Ｑ１のオン期間に高調波チョークＴ１に電流を流し込み、オフ期間に高調波チョークＴ１に蓄えられたエネルギーをダイオードＤ１を介して平滑コンデンサＣ11に充電し、脈流電圧よりも高い電圧に昇圧する。
【００１７】
インバータ回路IV１は、平滑回路DC１の両極間に、後述する検出抵抗Ｒ29を介して接続された一対のスイッチング素子Ｑ２，Ｑ３が設けられ、また、正極がスイッチング素子Ｑ２の一端に、負極がカップリングコンデンサＣ22及びバラストチョークＴ２を介してスイッチング素子Ｑ２，Ｑ３の接続点にそれぞれ接続された進相コンデンサＣ25を備え、この進相コンデンサＣ25の負極側とスナバ抵抗Ｒ21との間に起動抵抗Ｒ３が設けられ、さらに、起動抵抗Ｒ３に直列に接続されたインバータ制御電源回路を備えている。
【００１８】
このインバータ制御電源回路は、定電圧ダイオードZDのカソードを介して前記アクティブフィルタ制御電源回路と並列に接続され、直列に接続された第２分離ダイオードＤ３とコンデンサＣ16とからなっている。後述するが商用電源ACが投入されたとき平滑コンデンサＣ11からの直流電流（起動電流）が起動抵抗Ｒ３を介してコンデンサＣ16に流れ、ＩＶ制御回路IC２の動作電圧を生成する。
【００１９】
ＩＶ制御回路IC２は、点灯中の蛍光ランプLA１に印加する高周波電圧が異常かどうかを識別するための閾値Ｖ５が設定されており、コンデンサＣ16の充電電圧が動作電圧に達すると数十ＫＨZ の高周波信号を発振してスイッチング素子Ｑ２，Ｑ３を交互にオン・オフし、また、端子５に閾値Ｖ５を越える電圧が印加されたときはスイッチング素子Ｑ２，Ｑ３の駆動を停止する。
【００２０】
放電灯回路LAC1は、進相コンデンサＣ25に並列に接続された蛍光ランプLA１と、その蛍光ランプLA１と進相コンデンサＣ25との接続点とスイッチング素子Ｑ２，Ｑ３の接続点との間に設けられた直列接続のバラストチョークＴ２及びカップリングコンデンサＣ22と、蛍光ランプLA１に並列に接続された起動抵抗Ｒ１と、この起動抵抗Ｒ１に並列に接続された始動用のコンデンサＣ23とで構成されている。
【００２１】
電圧検出回路DTは、スイッチング素子Ｑ３と平滑回路DC１の負極側との間に挿入された検出抵抗Ｒ29と、一端が検出抵抗Ｒ29とスイッチング素子Ｑ３との接続点に接続された抵抗Ｒ27と、アノードがその抵抗Ｒ27の他端に接続されたダイオードＤ６と、正極がダイオードＤ６のカソードに接続されていると共に、ＩＶ制御回路IC２の端子５に接続され、負極が平滑回路DC１の負極側に接続されたコンデンサＣ21とで構成されている。
【００２２】
このコンデンサＣ21に充電される電圧は、検出抵抗Ｒ29の両端に生じる高周波電圧の正のピーク値とほぼ同じ電圧で、ダイオードＤ６の整流作用によるものである。蛍光ランプLA１が正常に点灯しているときは、高周波電圧のピーク値Ｖ１がコンデンサＣ21に充電され、ＩＶ制御回路IC２の端子５に印加する。このＩＶ制御回路IC２に設定された閾値Ｖ５と蛍光ランプLA１が正常に点灯しているときにコンデンサＣ21に充電される電圧Ｖ１との関係はＶ５＞Ｖ１である。
【００２３】
次に、前記のように構成された放電灯点灯装置の動作を図１及び図２に基づいて説明する。図２は電圧検出回路DTのコンデンサの充電電圧を示す波形図である。
商用電源ACが投入されると、整流回路DBがその交流電圧を脈流電圧に整流し、高調波チョークＴ１及びダイオードＤ１を介して平滑コンデンサＣ11に充電する。この時、平滑コンデンサＣ11によって変換された直流電流が起動電流として、蛍光ランプLA１の電極Ｆ11→起動抵抗Ｒ１→電極Ｆ12→起動抵抗Ｒ３→第２分離ダイオードＤ３を経てＩＶ制御電源用のコンデンサＣ16に流れる。
【００２４】
この起動電流の入力によりコンデンサＣ16の充電電圧がＩＶ制御回路IC２の動作電圧に達すると、ＩＶ制御回路IC２は、数十ＫＨZ の高周波信号を発振してスイッチング素子Ｑ２，Ｑ３を交互にオン・オフする。スイッチング素子Ｑ２がオンしたときは、平滑コンデンサＣ11からの直流電流が、スイッチング素子Ｑ２→スナバコンデンサＣ17→スナバ抵抗Ｒ21→第１分離ダイオードＤ２を経てコンデンサＣ９に流れると共に、その電流が第２分離ダイオードＤ３を介してコンデンサＣ16に流れる。この充電によりコンデンサＣ９の充電電圧がＡＦ制御回路IC１の動作電圧に達すると、ＡＦ制御回路IC１は、数十ＫＨZ の高周波信号を発振してスイッチング素子Ｑ１をオン・オフし、高調波チョークＴ１の昇圧作用による平滑コンデンサＣ11への充電電圧を昇圧させる。
【００２５】
一方、スイッチング素子Ｑ３がオンしたときは、平滑コンデンサＣ11→電極Ｆ11→始動用のコンデンサＣ23→電極Ｆ12→カップリングコンデンサＣ22→バラストチョークＴ２→スイッチング素子Ｑ３を経て電圧検出回路DTの検出抵抗Ｒ29→平滑コンデンサＣ11の閉ループで電流が流れ、また、スイッチング素子Ｑ２がオンしたときは、カップリングコンデンサＣ22→電極Ｆ12→始動用のコンデンサＣ23→電極Ｆ11→スイッチング素子Ｑ２→バラストチョークＴ２→カップリングコンデンサＣ22の閉ループで電流が流れ、バラストチョークＴ２、カップリングコンデンサＣ22、電極Ｆ12、コンデンサＣ23及び電極Ｆ11の直列回路に高周波電流が流れる。そして、バラストチョークＴ２と始動用のコンデンサＣ23のＬＣ直列共振により生じるコンデンサＣ23の高周波電圧が蛍光ランプLA１に印加される。
【００２６】
この時、電圧検出回路DTの検出抵抗Ｒ21には図２（ａ）に示すような高周波電圧が生じており、コンデンサＣ21の充電電圧は、ダイオードＤ６の整流作用によってほぼ高周波電圧の正のピーク値Ｖ１となり、ＩＶ制御回路IC２の端子５に印加する。蛍光ランプ正常点灯時は、ＩＶ制御回路IC２に設定された閾値Ｖ５の方が大きいので、ＩＶ制御回路IC２の発振動作は継続される。
【００２７】
蛍光ランプLA１が寿命末期或いは不良状態のままで商用電源ACが投入されたときは、前述したように起動電流がＩＶ制御電源用のコンデンサＣ16に流れるので、ＩＶ制御回路IC２が高周波信号を発振してスイッチング素子Ｑ２，Ｑ３を交互にオン・オフし、このスイッチング素子Ｑ２，Ｑ３の駆動により、ＡＦ制御回路IC１が高周波信号を発振してスイッチング素子Ｑ１をオン・オフし、平滑コンデンサＣ11の直流電圧を昇圧する。この場合、バラストチョークＴ２と始動用のコンデンサＣ23のＬＣ直列共振により生じるコンデンサＣ23の高周波電圧が蛍光ランプLA１に印加するが点灯しない。
【００２８】
この時、電圧検出回路DTの検出抵抗Ｒ29には、図２（ｂ）に示すような高周波電圧が生じ、コンデンサＣ21の充電電圧は、ダイオードＤ６の整流作用によってほぼその高周波電圧の正のピーク値Ｖ２となり、ＩＶ制御回路IC２の端子５に印加される。ＩＶ制御回路IC２は、端子５に印加された電圧が閾値Ｖ５を越えたとき高周波信号の発振を停止してスイッチング素子Ｑ２，Ｑ３の駆動を停止し、平滑コンデンサＣ11から起動抵抗Ｒ１→起動抵抗Ｒ３→第２分類ダイオードＤ３を介してコンデンサＣ16に供給される起動電流により、発振停止状態が保持される。この発振の停止によりスイッチング素子Ｑ２がオフしたとき、平滑コンデンサＣ11からスナバコンデンサＣ17及びスナバ抵抗Ｒ21を介してコンデンサＣ９に流れていた電流が遮断されるので、ＡＦ制御回路IC１も高周波信号の発振を停止する。
【００２９】
蛍光ランプLA１の点灯中に電極Ｆ11又はＦ12の何れか一方が外されたときは、蛍光ランプLA１への高周波電流が遮断され、バラストチョークＴ２、カップリングコンデンサＣ22及び進相コンデンサＣ25で構成される直流回路だけに高周波の進相電流が流れる。この時は、電圧検出回路DTの検出抵抗Ｒ29には、図２（ｃ）に示すような高周波電圧が生じ、コンデンサＣ21の充電電圧は、ダイオードＤ６の整流作用によってほぼその高周波電圧の正のピーク値Ｖ３となり、ＩＶ制御回路IC２の端子５に印加される。ＩＶ制御回路IC２は、端子５に印加された電圧が閾値Ｖ５を越えたとき高周波信号の発振を停止する。この発振の停止によりスイッチング素子Ｑ２がオフしたとき、平滑コンデンサＣ11からスナバコンデンサＣ17及びスナバ抵抗Ｒ21を介してコンデンサＣ９に流れていた電流が遮断されるので、ＡＦ制御回路IC１も高周波信号の発振を停止する。
【００３０】
また、蛍光ランプLA１が装着されていない無負荷状態で商用電源ACが投入されたときは、電極Ｆ11，Ｆ12がオープン状態であるため、ＩＶ制御電源用のコンデンサＣ16に平滑コンデンサＣ11からの起動電流が流れず、ＩＶ制御回路IC２とＡＦ制御回路IC１が停止状態になっている。この場合、蛍光ランプLA１のランプソケットには電極Ｆ11側に例えば280Vの直流電圧が生じているだけで、従来例のような高周波電圧が発生しない。
【００３１】
以上のように実施形態１によれば、蛍光灯ランプLA１が装着されていない点灯装置に商用電源ACを投入したとき平滑コンデンサＣ11の直流電流（起動電流）がＩＶ制御電源用のコンデンサＣ16に流れないようにしているので、ＩＶ制御回路IC２の停止状態が継続され、そのため消費電力の無駄を少なくでき、また、点灯中の蛍光ランプLA１を外したときや、不良状態の蛍光ランプLA１に電源を印加した場合、ＩＶ制御回路IC２とＡＦ制御回路IC１が発振動作を停止するようにしたので、蛍光ランプ交換時、高周波電圧による感電の危険性がなくなるという効果がある。
【００３２】
実施形態２．
図３は本発明の実施形態２を示す放電灯点灯装置の回路図であり、なお、図１で説明した実施形態１と同一又は相当部分には同じ符号を付し説明を省略する。実施形態２に係る放電灯点灯装置のインバータ回路IV11は、スイッチング素子Ｑ２に並列に接続された起動抵抗Ｒ80が設けられており、スイッチング素子Ｑ３の両端には直列接続されたバラストチョークＴ２、蛍光ランプLA１及びカップリングコンデンサＣ22が接続されている。また、一端が第２分離ダイオードＤ３とスナバ抵抗Ｒ21との接続点に接続された起動抵抗Ｒ３の他端が、蛍光ランプLA１の電極Ｆ12側に接続されている。
【００３３】
実施形態２の放電灯点灯装置においては、商用電源ACが投入されると、平滑コンデンサＣ11により変換された直流電流が起動電流として、起動抵抗Ｒ80→バラストチョークＴ２→蛍光ランプLA１の電極Ｆ11→起動抵抗Ｒ１→電極Ｆ12→起動抵抗Ｒ３→第２分類ダイオードＤ３を経てＩＶ制御電源用のコンデンサＣ16に流れると共に、第１分類ダイオードＤ２を介してＡＦ制御電源用のコンデンサＣ９に流れる。
【００３４】
その後は図１に示す実施形態１と同様に、ＩＶ制御回路IC２が数十ＫＨZ の高周波信号を発振してスイッチング素子Ｑ２，Ｑ３を交互にオン・オフし、この発振によりＡＦ制御電源用のコンデンサＣ９がさらに充電されると、ＡＦ制御回路IC１が立ち上がって数十ＫＨZ の高周波信号を発振してスイッチング素子Ｑ１をオン・オフし、高調波チョークＴ１の昇圧作用による平滑コンデンサＣ11への充電電圧を昇圧する。そして、スイッチング素子Ｑ２，Ｑ３の交互の駆動により、バラストチョークＴ２、フィラメントＦ11、始動用のコンデンサＣ23、電極Ｆ12及びカップリングコンデンサＣ22の直列回路に高周波電流が流れ、バラストチョークＴ２と始動用のコンデンサＣ23のＬＣ直列共振により生じるコンデンサＣ23の高周波電圧が蛍光ランプLA１に印加する。
【００３５】
蛍光ランプLA１が寿命末期或いは不良状態のままで商用電源ACが投入されたときは、実施形態１と同様にＩＶ制御回路IC２が高周波信号を発振してスイッチング素子Ｑ２，Ｑ３を交互にオン・オフし、このスイッチング素子Ｑ２，Ｑ３の駆動により、ＡＦ制御回路IC１が高周波信号を発振してスイッチング素子Ｑ１をオン・オフし、平滑コンデンサＣ11の直流電圧を昇圧し、ＬＣ直列共振により生じるコンデンサＣ23の高周波電圧が蛍光ランプLA１に印加するが点灯しない。
【００３６】
この場合も電圧検出回路DTの検出抵抗Ｒ29には高周波電圧が生じ、この電圧がダイオードＤ６の整流作用によってコンデンサＣ21に充電され、ＩＶ制御回路IC２の端子５に印加する。ＩＶ制御回路IC２は、端子５に印加された電圧が閾値Ｖ５を越えたとき高周波信号の発振を停止してスイッチング素子Ｑ２，Ｑ３の駆動を停止し、平滑コンデンサＣ11から起動抵抗Ｒ80→起動抵抗Ｒ１→起動抵抗Ｒ３→第２分類ダイオードＤ３を介してコンデンサＣ16に供給される起動電流により、発振停止状態が保持され、この発振の停止によりＡＦ制御回路IC１も高周波信号の発振を停止する。
【００３７】
また、蛍光ランプLA１の点灯中に電極Ｆ11，Ｆ12の何れか一方が外されたときは、蛍光ランプLA１への電流が遮断され、バラストチョークＴ２、カップリングコンデンサＣ22と進相コンデンサＣ25で構成される直流回路だけに高周波の進相電流が流れる。この時、電圧検出回路DTの検出抵抗Ｒ21に高周波電圧が生じ、この電圧がダイオードＤ６の整流作用によってコンデンサＣ21に充電され、ＩＶ制御回路IC２の端子５に印加する。この場合、ＩＶ制御回路IC２は、閾値Ｖ５を越えるので高周波信号の発振を停止し、この発振の停止によりＡＦ制御回路IC１も高周波信号の発振を停止する。無負荷状態で商用電源ACを投入した場合も、平滑コンデンサＣ11からの起動電流が流れないので、ＩＶ制御回路IC２とＡＦ制御回路IC１は停止のままとなっている。
【００３８】
このように実施形態２においては、起動電流が流れる回路上に第４起動抵抗Ｒ80を付加したので、消費電力の軽減、感電の防止という効果に加え、平滑コンデンサＣ11の負極電位に対する蛍光ランプLA１の電極Ｆ11，Ｆ12の電位が実施形態１と比べ低くなり、安全面で向上するという効果がある。
【００３９】
実施形態３．
図４は本発明の実施形態３を示す放電灯点灯装置の回路図であり、なお、図１で説明した実施形態１と同一又は相当部分には同じ符号を付し説明を省略する。実施形態３の放電灯点灯装置の平滑回路DC２は、高調波チョークＴ１の二次側に設けられた補助巻線Ｎ２と、その補助巻線Ｎ２とＩＶ制御電源用のコンデンサＣ16との間に挿入された直列接続のダイオードＤ９及び電流制限用の抵抗Ｒ51とを備え、補助巻線Ｎ２は、平滑コンデンサＣ11からの起動電流がＩＶ制御電源用のコンデンサＣ16に流れ平滑回路DC２が発振したとき電流を生成し、ダイオードＤ９及び抵抗Ｒ51を介してそのコンデンサＣ16に充電する。この回路は本発明の第１電流供給回路に相当するものである。
【００４０】
また、インバータ回路IV１に設けられたスナバコンデンサＣ17は、実施形態１と比べ容量の小さいものが使用されている。これは、補助巻線Ｎ２側からＩＶ制御電源用のコンデンサＣ16に充電しているので、スイッチング素子Ｑ２がオンしたときに流れる電流、即ち、平滑コンデンサＣ11→スイッチング素子Ｑ２→スナバコンデンサＣ17→スナバ抵抗Ｒ21→第２分離ダイオードＤ３を経てコンデンサＣ16に流れる電流を少なく設定できるからである。
【００４１】
実施形態３の放電灯点灯装置では、商用電源投入から蛍光ランプ点灯までの動作は実施形態１と同じであるが、点灯装置動作中、高調波チョークＴ１の補助巻線Ｎ２に生成される電流がダイオードＤ９及び電流制限用の抵抗Ｒ51を介してＩＶ制御電源用のコンデンサＣ16に流れる。
【００４２】
また、蛍光ランプLA１が寿命末期或いは不良状態のままで商用電源ACが投入されたときや、蛍光ランプLA１の点灯中に電極Ｆ11，Ｆ12の何れか一方が外れた場合は、実施形態１と同様にＩＶ制御回路IC２の端子５には閾値Ｖ５を越える電圧が印加するので、ＩＶ制御回路IC２が発振動作を停止し、これに引き続きＡＦ制御回路IC１も発振動作を停止する。なお、高調波チョークＴ１の補助巻線Ｎ２からの電流は、第２分離ダイオードＤ３が逆方向であるためＡＦ制御電源用のコンデンサＣ９に流れることはない。無無負荷状態で商用電源ACが投入された場合は、放電灯回路側がオープン状態で平滑回路DC２が発振していないので、高調波チョークＴ１の補助巻線Ｎ２に電流が発生しない。このため、ＩＶ制御回路IC２の停止状態が継続され、これに伴ってＡＦ制御回路IC１も停止状態が継続される。
【００４３】
以上のように実施形態３によれば、高調波チョークＴ１の補助巻線Ｎ２側からＩＶ制御電源用のコンデンサＣ16に電流を供給して、スイッチング素子Ｑ２オン時にスナバコンデンサＣ17及びスナバ抵抗Ｒ21を介してそのコンデンサＣ16側に流れる電流を少なくなるようにしたので、スナバコンデンサＣ17の容量を比較的小さくでき、このため、スイッチング素子Ｑ２，Ｑ３のオフ期間を短く設定でき、スイッチング素子Ｑ２，Ｑ３のオン／オフ動作による短絡を防止できるという効果がある。
【００４４】
実施形態４．
実施形態４における放電灯点灯装置は、インバータ回路IV１の出力側の放電灯回路に２灯の蛍光ランプを備えたもので、図５はその実施形態４を示す放電灯点灯装置の回路図である。なお、図１で説明した実施形態１と同一又は相当部分には同じ符号を付し説明を省略する。
この放電灯回路LAC2は、進相コンデンサＣ25の両極間に設けられた直列接続の蛍光ランプLA１，LA２と、蛍光ランプLA１の両電極を結ぶ起動抵抗Ｒ１と、蛍光ランプLA２の両電極を結ぶ起動抵抗Ｒ２と、スイッチング素子Ｑ２，Ｑ３の接続点と蛍光ランプLA２の電極Ｆ22との間に挿入されたバラストチョークＴ２及びカップリングコンデンサＣ22と、起動抵抗Ｒ１，Ｒ２に並列に接続された始動用のコンデンサＣ23と、バラストチョークＴ２の二次側に設けられた補助巻線Ｎ２と、一端がその補助巻線Ｎ２の一端側に接続され、他端が互いに接続された蛍光ランプLA１，LA２の電極Ｆ12，Ｆ21を介して補助巻線Ｎ２側に接続された直流阻止用のコンデンサＣ26と、一端が平滑回路DC１の正極側に接続され、他端がコンデンサＣ26と電極Ｆ12との接続点に接続された始動補助用のコンデンサＣ24とで構成されている。
【００４５】
次に、前記のように構成された放電灯点灯装置の動作を説明する。
商用電源ACが投入されると、整流回路DBがその交流電圧を脈流電圧に整流し、高調波チョークＴ１及びダイオードＤ１を介して平滑コンデンサＣ11に充電する。この時、平滑コンデンサＣ11によって変換された直流電流（起動電流）が蛍光ランプLA１の電極Ｆ11→起動抵抗Ｒ１→電極Ｆ12→蛍光ランプLA２の電極Ｆ21→起動抵抗Ｒ２→電極Ｆ22→起動抵抗Ｒ３→第２分類ダイオードＤ３を経てＩＶ制御電源用のコンデンサＣ16に流れると共に、第１分類ダイオードＤ２を介してＡＦ制御電源用のコンデンサＣ９に流れる。
【００４６】
この起動電流の入力によりコンデンサＣ16の充電電圧がＩＶ制御回路IC２の動作電圧に達すると、ＩＶ制御回路IC２は、数十ＫＨZ の高周波信号を発振してスイッチング素子Ｑ２，Ｑ３を交互にオン・オフする。スイッチング素子Ｑ２がオンしたときは、平滑コンデンサＣ11からの直流電流が、スイッチング素子Ｑ２→スナバコンデンサＣ17→スナバ抵抗Ｒ21→第１分類ダイオードＤ２を経てコンデンサＣ９に流れると共に、その電流が第２分類ダイオードＤ３を介してコンデンサＣ16に流れる。この充電によりコンデンサＣ９の充電電圧がＡＦ制御回路IC１の動作電圧に達すると、ＡＦ制御回路IC１は、数十ＫＨZ の高周波信号を発振してスイッチング素子Ｑ１をオン・オフし、高調波チョークＴ１の昇圧作用による平滑コンデンサＣ11への充電電圧を昇圧させる。
【００４７】
一方、スイッチング素子Ｑ３がオンしたときは、平滑コンデンサＣ11→電極Ｆ11→始動用のコンデンサＣ23→電極Ｆ22→カップリングコンデンサＣ22→バラストチョークＴ２→スイッチング素子Ｑ３を経て電圧検出回路DTの検出抵抗Ｒ29→平滑コンデンサＣ11の閉ループで電流が流れ、また、スイッチング素子Ｑ２がオンしたときは、カップリングコンデンサＣ22→電極Ｆ22→始動用のコンデンサＣ23→電極Ｆ11→スイッチング素子Ｑ２→バラストチョークＴ２→カップリングコンデンサＣ22の閉ループで電流が流れ、バラストチョークＴ２、カップリングコンデンサＣ22、電極Ｆ22、始動用のコンデンサＣ23及び電極Ｆ11の直列回路に高周波電流が流れる。また、この発振により、バラストチョークＴ２の補助巻線Ｎ２→コンデンサＣ26→電極Ｆ12→電極Ｆ22→補助巻線Ｎ２の閉ループで電流が流れ、蛍光ランプLA１の電極Ｆ12と蛍光ランプLA２の電極Ｆ21を予熱する。また、バラストチョークＴ２と始動用のコンデンサＣ23のＬＣ直列共振により生じるコンデンサＣ23の高周波電圧が蛍光ランプLA１，LA２に印加すると共に、コンデンサＣ23の高周波電圧が始動補助用のコンデンサＣ24を介して蛍光ランプLA２に印加する。
【００４８】
一方、蛍光ランプLA１，LA２の点灯中は、前述したように電圧検出回路DTの検出抵抗Ｒ29には高周波電圧が生じており、コンデンサＣ21の充電電圧は、ダイオードＤ６の整流作用によりほぼその高周波電圧の正のピーク値となって、ＩＶ制御回路IC２の端子５に印加している。この時は、異常検出のための閾値Ｖ５の方が大きいので、ＩＶ制御回路IC２の発振動作は継続される。また、蛍光ランプLA１が寿命末期或いは不良状態のままで商用電源ACが投入されたときや、蛍光ランプLA１，LA２の点灯中に４つの電極Ｆ11，Ｆ12，Ｆ21，Ｆ22の少なくとも１つが外された場合は、実施形態１と同様にＩＶ制御回路IC２の端子５には閾値Ｖ５を越える電圧が印加するので、ＩＶ制御回路IC２が発振動作を停止し、これに引き続きＡＦ制御回路IC１も発振動作を停止する。また、蛍光ランプLA１，LA２が装着されていない無負荷状態で商用電源ACが投入されたときは、各電極Ｆ11，Ｆ12，Ｆ21，Ｆ22がオープン状態であるため、ＩＶ制御電源用のコンデンサＣ16に平滑コンデンサＣ11からの起動電流が流れず、ＩＶ制御回路IC２とＡＦ制御回路IC１が停止状態になっている。
【００４９】
以上のように実施形態４においては、蛍光ランプLA１，LA２が装着されていない点灯装置に商用電源ACを投入したとき平滑コンデンサＣ11の直流電流（起動電流）がＩＶ制御電源用のコンデンサＣ16に流れないようにしているので、ＩＶ制御回路IC２とＡＦ制御回路IC１の停止状態が継続され、そのため消費電力の無駄を少なくでき、また、点灯中の蛍光ランプLA１，LA２の内いずれか一方を外したときや、不良状態の蛍光ランプLA１，LA２に電源を印加した場合、ＩＶ制御回路IC２とＡＦ制御回路IC１が発振動作を停止するようにしたので、蛍光ランプ交換時、高周波電圧による感電の危険性がなくなるという効果がある。
【００５０】
実施形態５．
図６は本発明の実施形態５を示す放電灯点灯装置の回路図であり、なお、図４及び図５で説明した実施形態３，４と同一又は相当部分には同じ符号を付し説明を省略する。
実施形態５においては、図４に示す実施形態３の放電灯点灯装置の平滑回路DC２と同様に高調波チョークＴ１の二次側に設けられた補助巻線Ｎ２をダイオードＤ９及び電流制限用の抵抗Ｒ51を介してＩＶ制御電源用のコンデンサＣ16に接続したものである。本実施形態においてもインバータ回路IV１に設けられたスナバコンデンサＣ17は、実施形態３と比べ容量の小さいものが使用されている。これは、前述したように補助巻線Ｎ２側からＩＶ制御電源用のコンデンサＣ16に充電しているので、スイッチング素子Ｑ２がオンしたときに流れる電流、即ち、平滑コンデンサＣ11→スイッチング素子Ｑ２→スナバコンデンサＣ17→スナバ抵抗Ｒ21→第２分離ダイオードＤ３を経てコンデンサＣ16に流れる電流を少なく設定できるからである。
【００５１】
実施形態５の放電灯点灯装置では、商用電源投入から蛍光ランプ点灯までの動作は実施形態３と同じであるが、点灯装置動作中、高調波チョークＴ１の補助巻線Ｎ２に生成される電流がダイオードＤ９及び電流制限用の抵抗Ｒ51を介してＩＶ制御電源用のコンデンサＣ16に流れる。また、蛍光ランプLA１，LA２が寿命末期或いは不良状態のままで商用電源ACが投入されたときや、蛍光ランプLA１，LA２の点灯中に４つの電極Ｆ11，Ｆ12，Ｆ21，Ｆ22の少なくとも１つが外された場合は、実施形態３と同様にＩＶ制御回路IC２の端子５には閾値Ｖ５を越える電圧が印加するので、ＩＶ制御回路IC２が発振動作を停止し、これに引き続きＡＦ制御回路IC１も発振動作を停止する。なお、高調波チョークＴ１の補助巻線Ｎ２からの電流は、第２分離ダイオードＤ３が逆方向であるためＡＦ制御電源用のコンデンサＣ９に流れることはない。無無負荷状態で商用電源ACが投入された場合は、放電灯回路側がオープン状態となるので、高調波チョークＴ１の補助巻線Ｎ２に電流が発生しない。このため、ＩＶ制御回路IC２の停止状態が継続され、これに伴ってＡＦ制御回路IC１も停止状態が継続される。
【００５２】
以上のように実施形態５によれば、高調波チョークＴ１の補助巻線Ｎ２側からＩＶ制御電源用のコンデンサＣ16に電流を供給して、スイッチング素子Ｑ２オン時にスナバコンデンサＣ17及びスナバ抵抗Ｒ21を介してそのコンデンサＣ16側に流れる電流を少なくなるようにしたので、スナバコンデンサＣ17の容量を比較的小さくでき、このため、スイッチング素子Ｑ２，Ｑ３のオフ期間を短く設定でき、スイッチング素子Ｑ２，Ｑ３のオン・オフ動作による短絡を防止できるという効果がある。
【００５３】
実施形態６．
図７は本発明の実施形態６を示す放電灯点灯装置の回路図であり、なお、図１で説明した実施形態１と同一又は相当部分には同じ符号を付し説明を省略する。実施形態６の放電灯点灯装置は、平滑回路DC１の高調波チョークＴ１の入力端と第１分離ダイオードＤ２との間に起動抵抗Ｒ52が挿入され、インバータ回路IV１のＩＶ制御電源用のコンデンサＣ16に並列に接続トランジスタＱ９が接続され、また、接続トランジスタＱ９のベースと平滑回路DC１の負極側との間に抵抗Ｒ55が挿入され、さらに、接続トランジスタＱ９及び抵抗Ｒ55との接続点と進相コンデンサＣ25の負極側との間に接続抵抗Ｒ54が挿入されている。前述した起動抵抗Ｒ52、接続トランジスタＱ９、接続抵抗Ｒ54及び抵抗Ｒ55で本発明の第２電流供給回路が構成されている。
【００５４】
蛍光ランプLA１には並列に接続された接続抵抗Ｒ53が設けられており、この接続抵抗Ｒ53と前記接続抵抗Ｒ54は、図１で示す起動抵抗Ｒ１と起動抵抗Ｒ３に相当するものであるが、これらより抵抗値の大きい抵抗器が用いられている。また、接続抵抗Ｒ53及び接続抵抗Ｒ54に直列に接続された前記抵抗Ｒ55は、両端に発生する電圧が定電圧ダイオードZDの電圧より高くなるよう設定されており、この系統に流れる電流は非常に小さいものとなっている。
【００５５】
前記のように構成された実施形態６の放電灯点灯装置においては、商用電源ACが投入されると、整流回路DBがその交流電圧を脈流電圧に整流し、平滑回路DC１の高調波チョークＴ１及びダイオードＤ１を介して平滑コンデンサＣ11に充電する。この時、平滑コンデンサＣ11によって変換された直流電流が起動電流として、蛍光ランプLA１の電極Ｆ11→接続抵抗Ｒ53→電極Ｆ12→接続抵抗Ｒ54を経て抵抗Ｒ55に流れ、この抵抗Ｒ55に電圧を発生させて接続トランジスタＱ９をオフ状態にする。一方、起動抵抗Ｒ52を介して流れる整流回路DBの脈流電流（起動電流）が第１分離ダイオードＤ２を介してＡＦ制御電源用のコンデンサＣ９に流れると共に、第２分離ダイオードＤ３を介してＩＶ制御電源用のコンデンサＣ16に流れる。
【００５６】
この起動電流の入力により、まずＩＶ制御回路IC２が、数十ＫＨZ の高周波信号を発振してスイッチング素子Ｑ２，Ｑ３を交互にオンし、次いでＡＦ制御回路IC１が立ち上がって数十ＫＨZ の高周波信号を発振してスイッチング素子Ｑ１をオン・オフし、高調波チョークＴ１の昇圧作用による平滑コンデンサＣ11への充電電圧を昇圧させる。一方、スイッチング素子Ｑ２がオンした際には平滑コンデンサＣ11からの電流が、スイッチング素子Ｑ２→スナバコンデンサＣ17→スナバ抵抗Ｒ21→第２分類ダイオードＤ３を経てコンデンサＣ16に流れ、スイッチング素子Ｑ２，Ｑ３を十分に駆動できる電圧に達する。
【００５７】
これにより、スイッチング素子Ｑ３がオンしたときは、平滑コンデンサＣ11→電極Ｆ11→始動用のコンデンサＣ23→電極Ｆ12→カップリングコンデンサＣ22→バラストチョークＴ２→スイッチング素子Ｑ３を経て電圧検出回路DTの検出抵抗Ｒ29→平滑コンデンサＣ11の閉ループで電流が流れ、また、スイッチング素子Ｑ２がオンしたときは、カップリングコンデンサＣ22→電極Ｆ12→始動用のコンデンサＣ23→電極Ｆ11→スイッチング素子Ｑ２→バラストチョークＴ２→カップリングコンデンサＣ22の閉ループで電流が流れ、バラストチョークＴ２、カップリングコンデンサＣ22、電極Ｆ12、コンデンサＣ23及び電極Ｆ11の直列回路に高周波電流が流れる。そして、バラストチョークＴ２と始動用のコンデンサＣ23のＬＣ直列共振により生じるコンデンサＣ23の高周波電圧が蛍光ランプLA１に印加する。
【００５８】
蛍光ランプLA１の点灯中は、電圧検出回路DTの検出抵抗Ｒ21には高周波電圧が生じており、この電圧はダイオードＤ６の整流作用によりコンデンサに充電され、ＩＶ制御回路IC２の端子５に印加している。この時は、異常検出のための閾値Ｖ５の方が大きいので、ＩＶ制御回路IC２は発振動作を継続する。
【００５９】
また、蛍光ランプLA１が寿命末期或いは不良状態で商用電源ACが投入されたときや、蛍光ランプLA１の点灯中に電極Ｆ11，Ｆ12の何れか一方が外されたときは、蛍光ランプLA１への電流が遮断され、バラストチョークＴ２、カップリングコンデンサＣ22と進相コンデンサＣ25で構成される直流回路だけに高周波の進相電流が流れる。この進相電流により、電圧検出回路DTの検出抵抗Ｒ29に異常に大きい高周波電圧が生じ、この電圧がダイオードＤ６の整流作用によってコンデンサＣ21に充電され、ＩＶ制御回路IC２の端子５に印加する。この場合、ＩＶ制御回路IC２は、閾値Ｖ５を越えるので高周波信号の発振を停止する。この発振の停止によりＡＦ制御回路IC１も高周波信号の発振を停止する。
【００６０】
無負荷状態で商用電源ACが投入された場合は、平滑コンデンサＣ11からの直流電流が接続抵抗Ｒ53、接続抵抗Ｒ54及び抵抗Ｒ55に流れないため、接続トランジスタがオンし、起動抵抗Ｒ52を流れる起動電流を抵抗Ｒ55側に流してコンデンサＣ９，Ｃ16への充電を阻止する。この時は、コンデンサＣ９，Ｃ16が充電されない。
【００６１】
以上のように実施形態６では、蛍光ランプ交換時に接続トランジスタＱ９をオンして、起動抵抗Ｒ52を介して流れる起動電流がコンデンサＣ９，Ｃ16に流れないようしたので、ＡＦ制御回路IC１とＩＶ制御回路IC２の発振動作を確実に停止させることができ、そのため、無駄な消費電力を少なくでき、しかも、接続抵抗Ｒ53、接続抵抗Ｒ54及び抵抗Ｒ55を介して流れる電流を小さく抑えるようにしているので、点灯装置駆動中の電力を軽減できるという効果がある。
【００６２】
なお、以上の実施形態１〜実施形態６の全てにおいて、起動電流がＡＦ制御電源用のコンデンサＣ16にのみ供給されるように接続してもよく、この場合も前述したように同じ回路動作となる。
【００６３】
【発明の効果】
以上のように本発明の請求項１によれば、放電灯が装着されていない点灯装置に商用電源を投入したとき、平滑回路の直流電流が放電灯に並列に接続された抵抗を介してインバータ制御電源回路に流れないので、インバータ制御回路及びアクティブフィルタ制御回路の停止状態が継続され、そのため消費電力の無駄を軽減でき、また、点灯中の放電灯を外したときや、不良状態の放電灯に電源を印加した場合、一対のスイッチング素子をオフ状態にして、インバータ制御電源回路及びアクティブフィルタ制御電源回路への電流を遮断し、アクティブフィルタ制御回路による平滑回路のスイッチング素子の駆動を停止させるようにしたので、放電灯交換時、高周波電圧による感電の危険性がなくなるという効果がある。
【００６４】
本発明の請求項２によれば、複数の放電灯のうち不良状態の放電灯がある場合や点灯中に何れか一つの放電灯を外したとき、電圧検出回路がその時の異常な高周波電圧を検出してインバータ制御回路の発振動作を停止させるようにしたので、放電灯交換時、高周波電圧による感電の危険性がなくなり、また、放電灯が装着されていない点灯装置に商用電源を投入したときは、平滑コンデンサからの起動電流が各抵抗を介してインバータ制御電源回路のコンデンサに流れないので、インバータ及びアクティブフィルタ制御回路の停止状態が継続され、そのため消費電力の無駄を軽減できるという効果がある。
【００６５】
本発明の請求項３によれば、電圧検出回路を、一対のスイッチング素子と平滑回路の負極側との間に挿入された検出抵抗と、一対のスイッチング素子に直列に接続された抵抗及びダイオードと、正極がそのダイオードのカソードに接続されていると共に、インバータ制御回路に接続され、負極が平滑回路の負極側に接続されたコンデンサとで構成しているので、インバータ側で発生する高周波電圧とほぼ同じ電圧を検出でき、このため、インバータ制御回路に設定されている閾値を越えた場合には、発振動作を停止してその無駄な消費電力を軽減できるという効果がある。
【００６６】
本発明の請求項４によれば、平滑回路の高調波チョークの二次側に設けられ、商用電源投入時に平滑コンデンサから出力される起動電流が放電灯回路の抵抗を介してインバータ制御電源回路に入力されたとき、電流を生成してそのインバータ制御電源回路に供給する補助巻線を有する第１電流供給回路を備えているので、点灯中の放電灯を交換するときインバータ制御電源回路に流れる電流を遮断してそのインバータ制御回路の発振動作を停止させることが可能になり、そのため、放電灯を交換するまでの消費電力を軽減できると共に。高周波電圧による感電を防止できるという効果がある。
【００６７】
本発明の請求項５によれば、整流回路の正極側とアクティブフィルタ制御電源回路との間に挿入された抵抗と、インバータ制御電源回路のコンデンサに並列に接続され、放電灯に設けられた抵抗を介して電流が流れたときオフするトランジスタとを有する第２電流供給回路を備えているので、点灯中の放電灯を交換するときインバータ制御電源回路に流れる電流を遮断してそのインバータ制御回路の発振動作を停止させることが可能になり、そのため、放電灯を交換するまでの消費電力を軽減できると共に。高周波電圧による感電を防止できるという効果がある。
【図面の簡単な説明】
【図１】  本発明の実施形態１を示す放電灯点灯装置の回路図である。
【図２】  電圧検出回路が検出する蛍光ランプの両極間に発生する高周波電圧の波形図である。
【図３】  本発明の実施形態２を示す放電灯点灯装置の回路図である。
【図４】  本発明の実施形態３を示す放電灯点灯装置の回路図である。
【図５】  本発明の実施形態４を示す放電灯点灯装置の回路図である。
【図６】  本発明の実施形態５を示す放電灯点灯装置の回路図である。
【図７】  本発明の実施形態６を示す放電灯点灯装置の回路図である。
【図８】  従来の放電灯点灯装置の回路図である。
【符号の説明】
DB  整流回路、DC１  平滑回路、IV１  インバータ回路、DT  電圧検出回路、LA１  蛍光ランプ、Ｆ11, Ｆ12  電極、Ｔ１  高調波チョーク、Ｔ２  バラストチョーク、Ｑ１，Ｑ２，Ｑ３  スイッチング素子、IC１  ＡＦ制御回路、IC２  ＩＶ制御回路、Ｄ１  ダイオード、Ｄ２  第１分離ダイオード、Ｄ３  第２分離ダイオード、Ｄ６  ダイオード、ZD  定電圧ダイオード、Ｃ９  ＡＦ制御電源用のコンデンサ、Ｃ11  平滑コンデンサ、Ｃ16  ＩＶ制御電源用のコンデンサ、
Ｃ17  スナバコンデンサ、Ｃ21  コンデンサ、Ｃ22  カップリングコンデンサ、
Ｃ23  始動用のコンデンサ、Ｃ25  進相コンデンサ、Ｒ１，Ｒ３  起動抵抗、
Ｒ21  スナバ抵抗、Ｒ27  抵抗、Ｒ29  検出抵抗。
【図１】
0003687026.tif 000002
【図２】
0003687026.tif 000003
【図３】
0003687026.tif 000004
【図４】
0003687026.tif 000005
【図５】
0003687026.tif 000006
【図６】
0003687026.tif 000007
【図７】
0003687026.tif 000008
【図８】
0003687026.tif 000009